(57)【要約】【課題】  装置を待機状態にするスタンバイモードと、該スタンバイモードよりも起動期間を短縮させて待機状態とするクイック起動モードを有する放送受信装置においてユーザの視聴傾向を反映した番組の受信が可能な状態で、クイック起動モードに移行することを可能にする。【解決手段】  放送受信装置の電源投入時に受信されたデジタル放送信号のチャンネルと、このチャンネルで放送された番組の開始時刻とを含む番組情報を取得し、この番組情報を装置の電源投入時刻と対応付けて起動履歴情報として記憶しておき、この起動履歴情報として記憶された番組情報に含まれる番組開始時刻に基づいて放送受信装置の起動時刻を予測する。そして予測された起動時刻を基準にしてスタンバイモードからクイック起動モードに移行し、このクイック起動モード時に電源投入されると、起動履歴情報として記憶されたチャンネルを選局する。【選択図】図２
2009088737.tif 000002
【特許請求の範囲】
【請求項１】
デジタル放送信号を受信する放送受信装置において、
消費電力が最も少ない状態で待機するスタンバイモードと、所定の要素に対して電力を供給して前記スタンバイモードよりも早く起動が行える状態で待機するクイック起動モードと、を有し、
更に、前記放送受信装置の電源投入時に前記受信部で受信された前記デジタル放送信号のチャンネルと、該チャンネルで放送された番組の開始時刻とを含む番組情報を取得するチャンネル番組情報取得手段と、
前記番組情報取得手段で取得された番組情報を前記電源投入時刻と対応付けて起動履歴情報として記憶する記憶手段と、
前記記憶手段に前記起動履歴情報として記憶された前記番組情報に含まれる番組開始時刻に基づいて、前記放送受信装置の起動時刻を予測する起動時刻予測手段と、を備え、
前記起動時刻予測手段で予測された前記起動時刻を基準にして前記スタンバイモードから前記クイック起動モードに移行するように構成され、該クイック起動モード時に電源投入されると、前記受信部は、前記起動履歴情報として記憶された前記番組情報に含まれるチャンネルを選局することを特徴とする放送受信装置。
【請求項２】
請求項１に記載の放送受信装置において、
更に、ユーザが在室か否かを検出するユーザ検出手段を備え、前記ユーザ検出手段にてユーザが在室であることが検出された場合、前記予測された起動時刻に至ると前記クイック起動モードに移行するようになしたことを特徴とする放送受信装置。
【請求項３】
請求項２に記載の放送受信装置において、
前記ユーザ検出手段として部屋の明るさを検出する光センサを備え、前記光センサが検出した明るさが所定値以上のときに、前記予測された起動時刻を基準にして前記クイック起動モードに移行するようになしたことを特徴とする放送受信装置。
【請求項４】
請求項２に記載の放送受信装置において、
前記ユーザ検出手段として赤外線センサを備え、前記赤外線センサの出力が所定値以上のときに、前記予測された起動時刻を基準にして前記クイック起動モードに移行するようになしたことを特徴とする放送受信装置。
【請求項５】
請求項２乃至４のいずれかに記載の放送受信装置において、
前記クイック起動モードにおいて電力が供給される前記所定の要素は、少なくとも前記受信部で受信されたデジタル放送信号を処理するための処理部であることを特徴とする放送受信装置。
【請求項６】
請求項５のいずれかに記載の放送受信装置において、
前記処理部は、前記放送受信装置を初手にソフトウェアに従い制御するための制御部を含むことを特徴とする放送受信装置。
【請求項７】
請求項２乃至６のいずれかに記載の放送受信装置において、
前記起動時刻予測手段で予測された起動時刻の所定時間前に、前記クイック起動モードに移行するようにしたことを特徴とする放送受信装置。
【請求項８】
デジタル放送信号を受信する放送受信装置において、
消費電力が最も少ない状態で待機するスタンバイモードと、所定の要素に対して電力を供給して前記スタンバイモードよりも早く起動が行える状態で待機するクイック起動モードと、を有し、
更に、前記放送受信装置の電源投入時刻に基づいて作成された履歴情報を記憶する記憶手段と、
前記記憶手段に記憶された前記履歴情報に起動時刻を予測する起動時刻予測手段と、
前記受信部で受信されたデジタル放送信号を処理する処理部と、
前記処理部で処理されたデジタル放送信号の番組を録画して再生するための録画再生部と、を備え、
前記起動時刻予測手段で予測された前記起動時刻を基準にして前記スタンバイモードから前記クイック起動モードに移行するように構成されており、
前記記憶手段は、前記履歴情報として前記録画再生部でタイマー録画された番組を再生した再生履歴を記憶し、
前記履歴情報として記憶された再生履歴に基づいて、起動時刻予測手段で予測された起動時刻に前記録画番組を再生するか否かが判定され、
前記タイマー録画された番組を再生すると判定された場合は、前記クイック起動モードにおいて、前記電力が供給される所定の要素として少なくとも前記処理部及び前記録画再生部に電力が供給されることを特徴とする放送受信装置。
【請求項９】
請求項７に記載の放送受信装置において、
前記タイマー録画された番組を再生しないと判定された場合は、前記クイック起動モードにおいて、前記処理部に電力を供給し、前記録画再生部には電力を供給しないことを特徴とする放送受信装置。
【請求項１０】
デジタル放送信号を受信する受信部を備えた放送受信装置において、
前記放送受信装置を待機状態とする第１のスタンバイモードと、前記第１のスタンバイモードよりも起動時間が短くなるように前記放送受信装置を待機状態とする第２のスタンバイモードとを有し、
更に、前記放送受信装置の電源投入時に前記受信部で受信された前記デジタル放送信号のチャンネルと、該チャンネルで放送された番組の開始時刻とを含む番組情報を取得するチャンネル番組情報取得手段と、
前記番組情報取得手段で取得された番組情報を前記電源投入時刻と対応付けて起動履歴情報として記憶する記憶手段と、
前記記憶手段に前記起動履歴情報として記憶された前記番組情報に含まれる番組開始時刻に基づいて、前記放送受信装置の起動時刻を予測する起動時刻予測手段と、を備え、
前記起動時刻予測手段で予測された前記起動時刻を基準にして前記第１のスタンバイモードから前記第２のスタンバイモードに移行するように構成され、該第２のスタンバイモード時に電源投入されると、前記受信部は、前記起動履歴情報として記憶された前記番組情報に含まれるチャンネルを選局することを特徴とする放送受信装置。
【発明の詳細な説明】
【技術分野】
【０００１】
本発明は、デジタル方式のテレビジョン放送を受信する放送受信装置に係わり、特に、電源投入から映像／音声が出力されるまでの待ち時間或は再生ができるまでの待ち時間（以下、「起動時間」という）を短縮するためのモードを備えた放送受信装置に関する。
【背景技術】
【０００２】
デジタル方式のテレビジョン放送（例えば地上波デジタルテレビジョン放送、ＢＳデジタルテレビジョン放送など）を受信する放送受信装置（以下、「デジタルＴＶ」という）は、アナログ方式のテレビジョン放送を受信する放送受信装置（以下、「アナログＴＶ」という）と異なり、ＰＣ（Personal Computer）と同様に、ＯＳ（Operating System），ファイルシステムやアプリケーションソフトといったソフトウエアを用いて、デジタルＴＶの様々なハードウエアを制御している。このため、電源の投入（以下、「オン」ともいう）から受信した映像／音声が出力されるまでの時間（起動時間）が、アナログＴＶより長くかかることが知られている。また、例えば、ＨＤＤ（Hard Disk Drive）を内蔵して録画機能を備えたデジタルＴＶでは、再生または録画できる状態になるまでの時間（起動時間）が、例えばアナログＶＴＲに較べ、格段に長くなることが知られている。
【０００３】
そこで、通常の待機モード（スタンバイモード）とは異なり、デジタルＴＶの起動に時間がかかる主要な部分に電源を供給した状態で待機する所謂「クイック起動モード」を採用し、電源がオフの状態からオンの状態にされた際、短時間で映像表示または録画準備できるようにしたものが知られている。しかし、クイック起動モードでの待機時間が長くなると、消費電力が増大するという課題があった。
【０００４】
この消費電力増大を回避するために、ユーザの電源オン，オフ操作履歴（以下、「電源操作履歴」という）から次の電源投入予測時刻を算出し、算出した電源投入予測時刻に基づき、クイック起動モードで待機するようにしたものが知られている（例えば、特許文献１）。
【０００５】
また、消費電力増大を回避するために、クイック起動モードで待機させておく時間帯をユーザに設定させ、設定された時間帯だけクイック起動モードに移行するようにしたものも知られている（例えば、特許文献２の図８）。
【０００６】
【特許文献１】特開２００５−１９１８１５号公報
【特許文献２】特開２００７−１１５２９５号公報
【発明の開示】
【発明が解決しようとする課題】
【０００７】
上記した特許文献１乃至２は、電源投入予測時刻或はユーザが設定したクイック起動時間帯にクイック起動モードに移行させることにより、電源オン時の短時間起動を図りながら、消費電力の低減を実現している。
【０００８】
ところで一般に、ＴＶでは、電源が投入（「オン」ともいう）されると前回受信していたチャンネル（所謂ラストチャンネル）を受信するようにしている。しかし、ユーザは前回受信していたチャンネルを今回も受信するとは限らない。例えば、ユーザは就寝前に受信していたチャンネルを翌日の朝受信するとは限らない。むしろ、翌日電源をオンした後、直ちに異なるチャンネルの例えばニュース番組に切り替える機会が多いと考えられる。この受信する番組は、例えば朝はニュース、帰宅後はドラマまたはスポーツ、或は留守中に録画した番組を見るなど、日常生活スタイルの中でユーザの好みにより習慣化され、固定化される可能性が高い。従って、次回の電源オンにおいては、ユーザの視聴傾向を反映した番組の受信または録画番組の再生ができるような状態でクイック起動モードに移行しておくことが好ましいといえる。
【０００９】
しかしながら、特許文献１乃至２では、単に、電源投入予測時刻或はユーザが設定したクイック起動時間帯にクイック起動モードに移行しているのみで、次の電源オン操作において、ユーザの視聴傾向を反映した番組の受信ができるようにする事に関しては考慮されていない。
【００１０】
本発明は上記した課題に鑑みてなされたもので、その目的は、次の電源オン操作においてユーザの視聴傾向を反映した番組の受信が可能な状態で、クイック起動モードに移行しておくことができる放送受信装置を提供することにある。
【課題を解決するための手段】
【００１１】
上記目的を達成するために、本発明では、放送受信装置の電源投入時に受信されたデジタル放送信号チャンネルと、該チャンネルで放送された番組の開始時刻とを含む番組情報を取得するチャンネル番組情報取得手段と、この取得された番組情報を前記電源投入時刻と対応付けて起動履歴情報として記憶する記憶手段と、この記憶手段に前記起動履歴情報として記憶された前記番組情報に含まれる番組開始時刻に基づいて、前記放送受信装置の起動時刻を予測する起動時刻予測手段とを備え、前記予測された起動時刻を基準にしてスタンバイモードからクイック起動モードに移行するように構成され、該クイック起動モード時に電源投入されると、起動履歴情報として記憶されたチャンネルを選局するようにしたことを特徴とする。
【００１２】
本発明による放送受信装置は、上記のように、電源投入時刻に対応付けして、番組開始時刻を含むチャンネル番組情報を起動履歴情報として記憶させるので、電源投入時刻ではなく、番組開始時刻を用いて次回の予測起動時刻を予測することができる。そして、その後の電源投入時、ラストチャンネルではなく、前記予測起動時刻に対応付けられたチャンネルの番組を短時間で受信することができる。また、起動履歴情報から得られた番組の開始時刻を基準にしてクイックモードに移行するので、電源投入のタイミングによっては番組の冒頭から視聴が可能となる。従って、ユーザの視聴傾向を反映することができる。
【００１３】
なお、前記電源投入操作履歴の蓄積期間を例えば少なくとも１週間とすれば、ユーザの視聴傾向を把握することができる。
【発明の効果】
【００１４】
本発明によれば、ユーザの視聴傾向を反映した番組の受信が可能な状態で、クイック起動モードに移行することができる。
【発明を実施するための最良の形態】
【００１５】
以下、本発明の実施形態について、図を参照して説明する。なお、全図において、共通な機能を有する要素には同一な符号を付して示し、一度説明したものについては、その重複する説明を省略する。また、以下では、説明の都合上、１物理チャンネルが１トランスポートストリーム（Transport Stream：以下、「ＴＳ」と省略）で構成されている地上波デジタルテレビジョン放送を受信するものとして説明するが、これに限定されるものではない。
【００１６】
本発明は、例えば特許文献１乃至２とは異なり、電源操作履歴に、電源オン時刻，電源オフ時刻と共に、電源オン時刻に対応付けて、電源投入時に選局された論理チャンネルと、その論理チャンネルでサービスされていた番組に関する番組開始時刻を含む番組情報を記憶することに特徴を有する。そして、該番組開始時刻を用いてクイック起動モードに移行させる時刻を算出する。また、クイック起動モードからの電源オン時に、前回の電源オフする前に受信していた所謂ラストチャンネルを選局せずに、ユーザの視聴傾向を反映したチャンネルおよび番組を予測して受信することに特徴を有する。すなわち、本実施形態においては、２種類の待機モード（スタンバイモード）を備えている。一つは、通常のスタンバイモードである第１のスタンバイモードであり、もう一つは、この第１のスタンバイモードよりも電源供給される要素（例えば放送受信装置を制御する制御部。詳細は後述する）が多く、この第１のスタンバイモードよりも起動時間が短くなるように放送受信装置を待機状態とする第２のスタンバイモードである。以下では、上記第１のスタンバイモードを単に「スタンバイモード」、第２のスタンバイモードを「クイック起動モード」と称することとする。本実施形態に係る放送受信装置が例えばテレビジョン表示装置の場合、スタンバイモード、クイック起動モードでも映像を表示する表示部及び音声を出力するスピーカへ電源は供給されず、非動作状態となる。
【００１７】
図１は、本実施形態に係わる放送受信装置の構成を模式的に示したブロック図である。図１に示すように、本実施形態に係わる放送受信装置は、例えばテレビジョン放送信号の映像を表示するテレビジョン表示装置であり、デジタル放送信号を受信するためのデジタルチューナ１００と、デジタルチューナ１００からの映像番組のＡＶデータを処理して映像信号および音声信号を生成するＡＶ処理部２００と、ＡＶ処理部２００から入力される映像信号の表示および音声出力を行う表示部３００と、デジタルチューナ１００からの映像番組を録画すると共に録画された映像番組の再生を行う録画再生部４００と、スタンバイモード下でも動作するサブＣＰＵ（Central Processing Unit）部６００と、各部に電源(電力)を供給する電源ユニット７００とを含んでなる。なお、スタンバイモードとは、最も少ない消費電力状態（例えば１Ｗ以下）で例えばユーザによる電源オン操作を待って待機している電源オフ状態をいう。さらに、ＡＶ処理部２００は、デマルチプレクサ２０１と、ＭＰＥＧ（Moving Picture Experts Group）デコーダ２０２と、フォーマットコンバータ２０３と、メインＣＰＵ（Central Processing Unit）２１０と、メモリ群を構成するフラッシュメモリ２２０，メモリ２３０，不揮発性メモリ２４０とからなる。また、録画再生部４００は、ＨＤＤコントローラ４１０と、ＨＤＤ４２０とからなる。また、サブＣＰＵ部６００は、サブＣＰＵ６１０と、メモリ群を構成するＲＯＭ（図示せず），メモリ（図示せず），不揮発性メモリ６４０と、リモコン受光部６５０と、キー入力部６６０と、光センサ６７０とからなる。
【００１８】
一般に、ＡＶ機器（例えば、デジタル放送受信装置，録画再生装置など）では、リモコンによる電源オン(投入)に対応するため、低消費電力（例えば１Ｗ以下）の待機状態でリモコンによる電源オンを待つ所謂スタンバイモードを有している。また、近年では、デジタル化に伴い、電源オンから機能部が動作可能な状態になるまでの時間(起動時間)が例えば数１０秒かかるため、外観上はスタンバイモードでありながら、起動に時間がかかる要素に対して電源(電力ともいう)を供給して該部位を起動（クイック起動）させておき、電源オン操作で直ちに映像表示または録画再生できる状態で待機するクイック起動モードも備えている。また、スタンバイモードでの消費電力を例えば１Ｗ以下とするため、装置の制御部（ここではＣＰＵ）はスタンバイ状態でも動作する第１のＣＰＵと、クイック起動モード時および電源オン時に動作する第２のＣＰＵとを備える構成とされる（例えば、特許文献１参照）。すなわち、少なくともクイック起動モード時では、制御部のうち第２のＣＰＵに電源が供給される。また、クイック起動モードで長時間継続すると待機時の消費電力が増大するので、例えば、特許文献１に記載の如く、ユーザの電源オン，オフの操作履歴を例えば１週間分蓄積した電源操作履歴を用い、クイック起動モードに移行する時刻を予測する手法も知られている。
【００１９】
なお、電源オン（投入）とは電力を供給することを意味し、オフ（遮断）とは電力の供給を遮断することを意味する。電源オン／オフは装置全体としてのオン／オフのみならず、各構成要素に対しても用いるものとする。また、図示しないＡＣコードを壁コンセントに挿入すると、装置はスタンバイモードとなるものとして説明する。従って、スタンバイモードから操作する電源ボタンとは、機械式の手動電源スイッチではなく、機能電源スイッチのことを意味するものである。
【００２０】
本実施形態では、第１のＣＰＵはサブＣＰＵ部６００のサブＣＰＵ６１０で、第２のＣＰＵはＡＶ処理部２００のメインＣＰＵ２１０である。また、クイック起動を実現されるために電源を供給しておく要素は、例えば、上述したＯＳやアプリケーションを起動時に実行するためのメインＣＰＵ２１０を含むＡＶ処理部２００、およびＨＤＤ４２０を含む録画再生部４００である。また、電源操作履歴はサブＣＰＵ部６００の不揮発性メモリ６４０に記憶されている。なお、詳細は後述するが、本実施形態による電源操作履歴には、電源オン時刻，電源オフ時刻と共に、電源オン時に選局された論理チャンネル（編成チャンネルともいう）の番号，そのときの視聴番組に関する番組開始時刻を含む番組情報、およびＨＤＤの再生の有無情報が含まれる点で従来技術と異なる。この意味で、以下、本実施形態による電源操作履歴を「電源操作視聴履歴」と称する。また、以下では、論理チャンネル（編成チャンネル）を疑義が生じない限り、単に「チャンネル」と呼ぶものとする。
【００２１】
まず、スタンバイ状態でも動作するサブＣＰＵ部６００の構成について説明する。
【００２２】
受光部６５０は、放送受信装置の遠隔操作を行うリモートコントローラ(以下、「リモコン」という)５０からの例えば赤外線（ＩＲ）のリモコン信号を受信して電気信号に変換し、サブＣＰＵ６１０に出力する。キー入力部６６０は、図示しない電源ボタンを含む複数の操作ボタンで構成され、ユーザによるボタン（キー）操作を検出する。
【００２３】
光センサ６７０は、放送受信装置が置かれている部屋の照度（明るさ）を検出し、ユーザが放送受信装置の電源をオンする際の使用環境を把握するものである。一般に、朝ＴＶの電源を入れる場合は、部屋の電気を点灯させ、或は部屋のカーテンを開けて明るくした後行う。従って、部屋の照度を検出することで、ユーザの在室や不在を推測することが可能となる。光センサの用途の詳細については後述する。
【００２４】
サブＣＰＵ６１０は、電源ユニット７００からスタンバイモード時でも電源が供給され、受光部６５０およびキー入力部６６０を介してユーザの操作を検出して、或は光センサ６７０からの入力を受けて、図示しないＲＯＭに格納されているプログラムに従って所定の処理をおこなう。また、サブＣＰＵ６１０は、内部に時刻を計数する時計部６１１を備えている。なお、時計部６１１は、ここでは、例えば商用電源の周波数を計数して時刻をカウントし、後述するメインＣＰＵ２１０に内蔵される時計部２１１の時刻情報により時刻を補正するものとする。そして、サブＣＰＵ６１０は、時計部６１１の時刻情報と関連させて電源ユニット７００を制御する。例えば、ユーザ操作により装置全体を電源オン／オフさせる制御を行うと共に、スタンバイモードにおいて所定時刻にＡＶ処理部２００や録画再生部４００に電源を供給してクイック起動状態に移行させる。また、タイマー録画時刻に表示部３００を除いて電源オンさせる。
【００２５】
なお、詳細は後述するが、本実施形態によるクイック起動モードにおける起動動作は、次のようにして行われる。すなわち、サブＣＰＵ６１０は時計部６１１を用いてユーザの電源操作視聴履歴を作成する。次に、該電源操作視聴履歴に基づいて次回のクイック起動モードに移行する時刻（以下、「予測起動時刻」という）を算出する。次に、算出された次回の予測起動時刻より少し早い時刻に、ＡＶ処理部２００や録画再生部４００に電源を供給して起動させる。そして、電源オンでユーザの視聴傾向を反映したチャンネルおよび番組を予測して受信する。なお、「少し早い」とは、「起動」にかかる時間を見込むという意味で、例えば１分程度の時間である。
【００２６】
不揮発性メモリ６４０には、後述する電源操作視聴履歴テーブルや予測起動時刻を含む予測テーブルが格納されている。
【００２７】
電源ユニット７００は、サブＣＰＵ６１０の制御に基づき、装置全体や必要な構成要素に電源を供給する。例えば、ＡＶ処理部２００をクイック起動する場合、電源ＱＰ２００を供給する。また、視聴履歴から録画した映像番組を視聴すると見なせる場合には、ＡＶ処理部２００に加えて録画再生部４００もクイック起動するために、録画再生部４００にも電源ＱＰ４００を供給する。また、装置全体をオンする場合には、デジタルチューナ１００への電源Ｐ１００，ＡＶ処理部２００への電源ＱＰ２００，録画再生部４００への電源ＱＰ４００および表示部３００への電源Ｐ３００を供給する。また、スタンバイモードにおいて例えばＥＰＧ（Electronic Program Guide）情報の取得や修正プログラムのダウンロードなどを行う場合には、外観上電源オフとしておくため、表示部３００にのみ電源を供給しないようにする。これらの電源制御は、全てサブＣＰＵ６１１の制御の元で行われる。
【００２８】
次に、デジタルチューナ１００，ＡＶ処理部２００，表示部３００および録画再生部４００とからなる、機能部について説明する。
【００２９】
デジタルチューナ１００は例えば地上波デジタルチューナである。デジタルチューナ１００は、バス２５０を介して接続されるメインＣＰＵ２１０から指示されるチャンネル番号（サービスが提供される論理チャンネル番号を指し、一般にサービス_ｉｄまたはプログラム番号と言われる）に対応した物理チャンネルを選局して復調し、種々のデータが多重化されているＴＳをＡＶ処理部２００に出力する。このＴＳには、放送データ（例えば、映像番組のビデオ信号およびオーディオ信号を圧縮した圧縮データ）や、各種の付加情報（例えば、番組特定情報や番組配列情報）が含まれている。映像番組の付加情報である番組特定情報（ＰＳＩ：Program Specific Information）としては、例えば、ＰＡＴ（Program Association Table），ＰＭＴ（Program Map Table），ＮＩＴ（Network Information Table）などがある。また、番組配列情報（ＳＩ：Service Information）としては、例えば、ＳＤＴ（Service Description Table），ＥＩＴ（Event Information Table）など電子番組表を構成する基になるＥＰＧデータがある。また、ＴＳの中には時刻情報ＴＯＴ（Time Offset table）も含まれている。
【００３０】
ＡＶ処理部２００のデマルチプレクサ２０１は、バス２５０を介して接続されるメインＣＰＵ２１０により設定されたフィルタ条件に従って、デジタルチューナ１００から出力されるＴＳから必要なデータ（ＴＳパケット）を抽出し分離する。例えば、所望チャンネルにおける映像番組のビデオデータとオーディオデータ（以下、「ＡＶ（Audio Videoデータ）という」のＴＳパケットを抽出して、ＭＰＥＧデコーダ２０２に出力する。また、番組配列情報（ＳＩ）、例えばＳＤＴ，ＥＩＴなどのＥＰＧデータのＴＳパケットなどを抽出し、メモリ２３０に格納する。これらのＥＰＧデータは電源オフ時には、不揮発性メモリ２４０に格納し、保持しておく。
【００３１】
なお、フィルタ条件の設定は、メインＣＰＵ２１０がメモリ２３０に格納されたＰＡＴ，ＰＭＴなどに記述された情報内容に基づいて行う。例えば、所望チャンネルにおける映像番組のＡＶデータを抽出する場合、所望チャンネルのサービスｉｄ（プログラム番号）に対応したＰＩＤ（Packet Identification）をＰＡＴ，ＰＭＴから見出だし、該ＰＩＤをデマルチプレクサ２０１に設定する。そして、デマルチプレクサ２０１は該ＰＩＤを有するＡＶデータのＴＳを抽出する。
【００３２】
また、デマルチプレクサ２０１は、映像番組をＨＤＤ４２０に録画する場合、映像番組を構成するＴＳ（ＡＶデータのＴＳにＰＡＴ，ＰＭＴや番組情報などのＴＳを含んだもので、以下パーシャルＴＳといい、「ＰＴＳ」と省略する）をメインＣＰＵ２１０の指示に基づいて抽出し、記録再生部４００に出力する。また、記録再生部４００（すなわちＨＤＤ４２０）に録画された映像番組を再生する場合、記録再生部４００より入力されるＰＴＳ（パーシャルＴＳ）からＰＡＴ，ＰＭＴなどを抽出してメモリ２３０に格納し、ＡＶデータをＭＰＥＧデコーダ２０２に出力する。
【００３３】
ＭＰＥＧデコーダ２０２は、デマルチプレクサ２０１から入力された映像番組のＡＶデータのデコード処理を行う。また、フォーマットコンバータ２０３は、ＭＰＥＧデコーダ２０２から入力される復号された映像信号を表示部３００が表示できる所定のフォーマットに変換して表示部３００に出力する。表示部３００は、入力された映像信号を図示しないディスプレイ部（例えば、ＰＤＰやＬＣＤパネル）に表示すると共に、復号された音声信号を図示しないスピーカで音声として出力する。
【００３４】
ＨＤＤコントローラ４１０は、映像番組をＨＤＤ４２０に録画する場合、デマルチプレクサ２０１からバス２５０を介して入力されるＰＴＳ（パーシャルＴＳ）のＨＤＤ４２０への書き込み（録画）を制御する。また、ＨＤＤ４２０に録画された映像番組を再生する場合、ＨＤＤ４２０に書き込まれているＰＴＳ（パーシャルＴＳ）の読み出し（再生）を制御する。読み出されたＰＴＳは、バス２５０を介してデマルチプレクサ２０１に入力され、デマルチプレクサ２０１で分離された後ＭＰＥＧデコーダ２０２に入力される。
【００３５】
録画再生部４００は、特許文献２に記載されているように、ＡＶ処理部２００と同様に、起動に時間がかかる。従って、電源オン後直ちに再生が予測される場合には、クイック起動モードにおいて、録画再生部４００に予め電源を供給してクイック起動された状態で待機しておくことが好ましい。
【００３６】
メインＣＰＵ２１０は、サブＣＰＵ６１０との間で相互に通信し、ユーザ操作（図示せず）に基づき、デジタルチューナ１００，ＡＶ処理部２００，表示部３００や録画再生部４００を含め、フラッシュメモリ２２０に格納されているプログラムに従って各種の処理を実行し、装置全体の動作を制御する。また、メインＣＰＵ２１０は、内部に時計部２１１を有している。時計部２１１は、前記ＴＯＴ（Time Offset table）を逐次（例えば１分おきに）取得し、ＴＯＴに含まれる現在日付と現在時刻（時刻情報）をメモリ２３０に設定して更新するものとする。この時計情報はサブＣＰＵ６１０の時計部６１１の時刻自動調整に利用される。
【００３７】
フラッシュメモリ２２０は、書き換えが可能な不揮発性のメモリである。フラッシュメモリ２２０には、メインＣＰＵ２１０が制御部としての動作をするためのプログラムが格納されている。このプログラムは、ＯＳ，ミドルウエアやアプリケーションソフト等を含んで構成されている。そのため、メインＣＰＵ２１０に電源が供給され、メインＣＰＵ２１０がフラッシュメモリ２２０内のプログラムをメモリ２３０に展開する際、メインＣＰＵ２１０のブートアップ後、ＯＳの起動と初期化，ミドルウエアの起動と初期化などが必要となる。また、各デバイスの初期設定も必要となる。このようなシステム起動には、例えば、数１０秒程度の時間がかかる場合がある。そこで、クイック起動モードにおいて、サブＣＰＵ６１０に対し、電源オンの前に、後述する電源操作視聴履歴を用いて、ＡＶ処理部２００に予め電源ＱＰ２００を供給して起動させておくようにしている。
【００３８】
メモリ２３０は、ＤＲＡＭ（Dynamic Random Access Memory）で構成され、メインＣＰＵ２１０のワーキングメモリとして利用される。また、メインＣＰＵ２１０によってＴＳに多重化されているＰＡＴ，ＰＭＴ，ＮＩＴなどの番組特定情報（ＰＳＩ）が記憶される。
【００３９】
不揮発性メモリ２４０には、メインＣＰＵ２１０によって、ＴＳに多重化されているＳＤＴ，ＥＩＴなどの番組配列情報（ＳＩ）、すなわちＥＰＧデータ、およびＴＯＴが記憶される。
【００４０】
本実施形態に係わる放送受信装置は、上記したように構成されている。従って、装置が電源オンの場合、デジタルチューナ１００で選局され復調された所望の映像番組のＴＳは、ＡＶ処理部２００に入力され、デマルチプレクサ２０１で所望映像番組のＡＶデータが分離され、ＭＰＥＧデコーダ２０２でデコードされる。そして、デコードされたＡＶ信号はフォーマットコンバータ２０３を経て表示部３００で表示される。
【００４１】
ところで、スタンバイモードの状態から電源オンされると、ＡＶ処理部２００に含まれるメインＣＰＵ２１０の起動に時間がかかり、暫くの間、映像番組が表示（視聴）されない状態が生じる。これを避けるために、本実施形態の放送受信装置は、電源オンで直ちに映像番組を表示できるクイック起動モードを備えている。
【００４２】
しかし、クイック起動モードでの待機時間が長くなると、待機時の消費電力が増大する。この消費電力増大を回避するために、ユーザの電源オン，オフの操作履歴から次の電源投入予測時刻を算出し、算出した電源投入予測時刻に基づき、クイック起動モードで待機するようにしたものが知られている（例えば、特許文献１）。しかしながら、特許文献１では、単に、電源投入予測時刻にクイック起動モードに移行しているのみで、ユーザの視聴傾向を反映した番組の受信ができるようにする事に関しては考慮されていない。
【００４３】
そこで、本実施形態では、ユーザの電源オン，オフの操作を例えば１週間分蓄積した従来技術の電源操作履歴に、例えば、選局されたチャンネル番号と、そのとき該チャンネルでサービスされていた視聴番組に関する番組情報（例えば、番組タイトル，番組概要や番組開始時刻）と、タイマー録画情報と、タイマー録画した番組の再生の有無情報を追加した電源操作視聴履歴を用いる。なお、選局されたチャンネル番号と、そのとき該チャンネルでサービスされていた視聴番組に関する番組情報とを含んでなる情報を総称して「チャンネル番組情報」というものとする。そして、該電源操作視聴履歴に基づいて次回の予測電源オン時刻，予測起動時刻を算出する。次に、起動時間を考慮して、次回の予測起動時刻より少し早い時刻に、ＡＶ処理部２００や録画再生部４００に電源を供給してクイック起動モードに移行させる。その後、ユーザの操作により電源オンされると、ユーザの視聴傾向を反映したチャンネルを予測して受信するようにする。
【００４４】
図２は、後述する図３の制御フローに従って日曜日から土曜日までの１週間に亙って蓄積された、本実施形態による電源操作視聴履歴テーブルの一例を示す図である。
【００４５】
日常生活は１週間を単位として繰り返され、習慣化される。従って、図２に示すように、本実施形態では、少なくとも１週間に亙って、電源オン時刻と、その時のチャンネル番組情報〔すなわち、視聴チャンネル（図２では「視聴ｃｈ」と表記）と、該視聴チャンネルでサービスされている番組情報（ここでは番組タイトル，番組概要や番組開始時刻など）〕と、タイマー録画情報（タイマー録画フラグ）と、タイマー録画した番組の再生の有無情報（再生フラグ）と、電源オフ時刻、および部屋の明るさの情報（明，暗フラグ）などを蓄積したテーブル（電源操作視聴履歴）を作成しておく。そして、これらの情報（一週間前の電源操作視聴履歴情報）を基に、電源オフ時またはスタンバイモード時に次の電源オン時刻（予測電源オン時刻）と、クイック起動モードに移行する予測起動時刻と、クイック起動モード移行に続く電源オン後にユーザによって選局されるであろうチャンネル（予測チャンネル）を算出し、電源操作視聴履歴テーブルの右端の予測テーブルに格納する。そして、この予測起動時刻と予測チャンネルを用いて、クイック起動モードに移行させるようにする。実際には、起動に要する時間も考慮し、予測起動時刻より所定時間α（例えば１分）前にクイック起動モードに移行させる。以下では、説明を簡単とするため、予測起動時刻にクイック起動モードに移行させるとして説明する。
【００４６】
なお、上記した電源オン時刻については、サブＣＰＵ６１０が内蔵する時計部６１１により知ることができる。また、サブＣＰＵ６１０は、その時の視聴チャンネルについてメインＣＰＵ２１０から取得し、該視聴チャンネルでサービスされている番組情報（番組タイトル，番組概要や番組開始時刻など）についてメインＣＰＵ２１０を介して不揮発性メモリ２４０に記憶されているＥＰＧ情報（詳細に述べるならばＥＩＴ）から取得することができる。録画情報とその再生情報もメインＣＰＵ２１０を介して取得することができる。
【００４７】
電源オン直後の視聴チャンネルは、例えば、季節ごとの番組編成などに伴うユーザの視聴パターンが固定化されない期間において、短い時間間隔で繰り返し変更される場合が有る。そこで、電源オン直後の視聴チャンネルとしては、所定時間例えば連続して５分以上視聴したチャンネルを記憶するものとする。なお、このような処理は簡単な制御フローを用いて実現できる。
【００４８】
また、電源オンした直後では、電源オン直後の視聴チャンネルで既にサービスされている番組を途中から視聴する機会が大半である。従って、場合によっては、ユーザが次回から該番組を最初から見ようと思う可能性がある。そこで、本実施形態では、電源オン時に選局された視聴チャンネルでサービスされている番組の開始時刻を記憶するようにしている。そして、該番組の開始時刻が電源オン時刻より早ければ、次回（一週間後）、該番組開始時刻にＡＶ処理部２００に電源ＱＰ２００を供給して起動させ、クイック起動モードに移行させるようにする。すなわち、番組開始時刻を用いて予測起動時刻を算出することとする。もし、記憶した視聴チャンネルの番組開始時刻が電源オン時刻より遅い場合（電源オン後短期間でチャンネルを切り替えた際に生じる場合がある）は、電源オン時刻を予測起動時刻として所定時間α前にクイック起動モードに移行させる。クイック起動状態で待機中に電源オンされると、該電源オン時刻に最も近い１週間前の同一曜日の対応する電源オン時刻に対応付けられた視聴チャネルを受信するようにすることは言うまでもない。今述べたことは、電源操作視聴履歴の右端領域に記載されている予測電源オン時刻，予測起動時刻，予測チャンネル（図２では「視聴ｃｈ」と表記）および再生フラグからなる予測テーブルに示されている。例えば、図２において、（１週間前の）月曜日の電源オン時刻７：０５の行の右端における予測電源オン時刻は７：０５で、予測起動時刻は、対応付けられた予測チャンネルＡＡＡでサービスされている番組の開始時刻が７：００なので７：００にクイック起動モードに移行する。
【００４９】
なお、電源オン時刻より番組の開始時刻が所定時間（例えば１０分）以上早い場合には、待機電力を極力抑えるために、予測電源オン時刻を基準として例えば１０分遡り、遡った時間に最も近い分桁００，１５，３０，４５分を予測起動時刻とする。このような予測起動時刻算出手法を用いる理由は、番組は一般的に分桁００，１５，３０，４５を開始時刻とする場合が多く、もし、電源オン後チャンネル切り替えした時に、始まったばかりの番組を視聴できるからである。この一例を例えば月曜日の電源オン時刻２０：３０の行に示す。ここでは、番組開始時刻は電源オン時刻より１５分早い。従って、上に述べた処理を行うと、予測起動時刻は２０：１５となる。
【００５０】
また、留守中（例えば仕事で出社している場合）にお好みの連続ドラマをタイマー録画し、帰宅（例えば残業して帰宅）後、すぐに再生する場合もある。これに対応するのが、火曜日の電源オン時刻１９：００の行と２０：１０の行である。留守中であることは、電源操作視聴履歴の部屋の明るさから推測できる。また、タイマー録画した番組の再生であるか否かは、再生ＴＳ中に含まれる番組情報を用いて判別することが出来る。また、シリーズものであるかも知ることが可能である。このような場合、次回（１週間後）もタイマー録画した番組が帰宅後すぐに再生される確率が高いと考えられる。そこで、次回の予測起動時刻として登録する。このケースの予測起動時刻は、元の電源オン時刻が２０：１０なので、前記した予測起動時刻算出手法に合わせ、２０：００とし、この時刻にＡＶ処理部２００と録画再生部４００に電源を供給しクイック起動モードに移行させる。
【００５１】
また、木曜日の電源オン時刻７：０４の行のケースにおいて、部屋の明るさは明るいとされる場合、次回（１週間後）の予測起動時刻７：００になるとクイック起動モードに移行しようとするが、もし、部屋の明るさが所定の閾値より低い場合には、ユーザが不在と推測できるので、クイック起動モードに移行させず、スタンバイモードの継続とする（詳細は図５の制御フローで後述する）。部屋の明るさは光センサ６７０を用いて検出することができる。このように、ユーザの不在を予測することで、必要の無い場合にはクイック起動モードへ移行せず、無駄な消費電力の発生を抑えることが可能となる。
【００５２】
勿論、予測起動時刻にクイック起動モードに移行させた後、一週間前の電源オン時刻と同一時刻（すなわち、予測電源オン時刻）に所定時間β（例えば１５分）加えた時刻（以下、この時刻を「クイック起動モードリセット判定時刻」と称する）を経過してもユーザによる電源投入がなければ、クイック起動モードからスタンバイモードに戻すようにすることは言うまでもない。この際のクイック起動モードリセット処理については、図６の制御フローで後述する。
【００５３】
次に、上記した電源操作視聴履歴作成処理について説明する。図３は、本実施形態による電源操作視聴履歴作成処理を模式的に示した制御フロー図である。以下、各判定条件に合致する場合を“Ｙ”（Yes）、合致しない場合を“Ｎ”（No）と示す。
【００５４】
図３において、電源がオンされると、サブＣＰＵ６１０は、電源操作視聴履歴作成処理を開始する。まず、ステップ（以下、ステップを「Ｓ」と省略）１で時計部６１１により電源オン時刻を取得し、不揮発性メモリ６４０中の電源操作視聴履歴テーブルに記憶する。そして、タイマー録画かチェックする（Ｓ２）。タイマー録画であればＳ２１に行き、光センサ６７０を用いて部屋の明るさを検出し、予め設定されている閾値以上の場合「明」フラグを、以下の場合「暗」のフラグを、タイマー録画であることを示すタイマーフラグ、録画チャンネルおよび録画番組の番組情報と共に、不揮発性メモリ６４０における電源操作視聴履歴メモリ領域の現在曜日の欄に、電源オン時刻と対応させて設定し（つまり、電源操作視聴履歴テーブルに記憶させ）、処理を終了する。なお、前述したように、番組情報はＥＰＧから取得し、録画チャンネル（視聴チャンネル）は番組特定情報から取得することができる。
【００５５】
Ｓ２でタイマー録画でなければＳ３に進み、現在の選局チャンネルを所定時間（例えば５分）以上継続して視聴しているかチェックする。サブＣＰＵ６１０は、Ｓ３でＹ（はい）の場合、Ｓ４で視聴チャンネル番号を現在曜日の電源オン時刻と対応させて電源操作視聴履歴テーブルに記憶させる。また、Ｓ５で、該視聴チャンネルでサービスされている番組の開始時刻（番組開始時刻）を取得し、現在曜日の電源オン時刻と対応させて記憶させる。さらに、Ｓ６で部屋の明るさ情報を取得して記憶させ、処理を終了する。
【００５６】
Ｓ３でＮ（いいえ）の場合、サブＣＰＵ６１０は、Ｓ１１に進み、タイマー録画番組の再生か判定する。タイマー録画番組の場合、Ｓ２１で番組情報も電源操作視聴履歴テーブルに記憶させているので、シリーズものかも合わせてチェックすることができる。Ｓ１１の判定がＮであればＳ３に戻る。Ｓ１１の判定がＹで、例えば、当日のシリーズものの録画番組を再生中の場合Ｓ１２に移り、Ｓ１２で所定時間を超えて視聴しているか判定する。Ｓ１２においてＮであればＳ３に戻り、ＹであればＳ１３で再生フラグを設定し、Ｓ１４で部屋の明るさ情報を取得して設定する。そして、Ｓ１５で再生が終了するのを待つ。再生が終了すると、Ｓ３に戻り、再生終了後の視聴チャンネルを取得する。この再生終了後の視聴チャンネルは、例えば次週、ユーザが次週のタイマー録画番組を電源オン後再生する場合における、受信チャンネルとするものである。このようにすれば、再生終了後、先週視聴したチャンネルを選局することなしに視聴することができることになる。
【００５７】
以上述べた制御フローに従って日曜日から土曜日までの１週間に亙ってデータを蓄積した電源操作視聴履歴テーブルの一例が、図２のテーブルである。
【００５８】
次に、過去の１週間分の電源操作視聴履歴テーブルに基づいて、次の予測起動時刻や予測視聴チャンネルを算出する予測制御フローについて、図４を用いて説明する。なお、この予測起動時刻算出処理は、電源オフする際に算出しても、或は電源オフ（つまり、スタンバイモード）中に算出してもよく、特に限定するものではない。また、図２の電源操作視聴履歴テーブルの右端には、電源操作視聴履歴テーブルを基に算出した予測起動時刻や予測視聴チャンネルをテーブル化した予測テーブルが図示されている。
【００５９】
図４は、次の予測起動時刻や予測視聴チャンネルを算出する予測制御フローを模式的に示す図である。
【００６０】
図４において、予測起動時刻算出処理を開始すると、サブＣＰＵ６１０は、先ずＳ１０１で、現在時刻Ｔｐを取得する。次に、Ｓ１０２で、１週間前の同曜日，同時刻Ｔｐより後の次の電源オン時刻Ｔｏｎを電源操作視聴履歴（テーブル）から取得し、予測電源オン時刻とし、不揮発性メモリ６４０中の予測テーブルに記憶させる。なお、前に述べたが、日常生活は１週間を単位として繰り返され、習慣化される。従って、１週間前の電源オン時刻を予測電源オン時刻として用いることは妥当なことといえる。
【００６１】
そして、Ｓ１０３で、１週間前では、電源オン後タイマー録画番組を再生して視聴したか判定する。Ｙ（はい）であればＳ１１１に進み、予測テーブルに再生フラグを設定し、また、Ｓ１１２で再生終了後の視聴チャンネル番号を取得し、予測視聴チャンネルとして設定する。次に、Ｓ１１３で（Ｔｏｎ−１０分）を演算し、その分桁より前の００，１５，３０，４５を分桁として予測起動時刻Ｔｑとし、予測テーブルに設定し処理を終了する。この部分の処理の具体例が、図２の火曜日の２０：１０の行に対応している。
【００６２】
Ｓ１０３でタイマー録画番組でなければ、Ｓ１０４に進み、１週間前の電源オン時刻Ｔｏｎに対応した視聴チャンネル番号を取得し予測電源オン時刻に対応させて予測テーブルに設定する。次に、Ｓ１０５で、１週間前の電源オン時刻Ｔｏｎと１週間前の電源オン時刻Ｔｏｎに対応付けられた番組開始時刻Ｔｓとの差（Ｔｏｎ−Ｔｓ）を演算し、Ｔｏｎ−Ｔｓ≧１０分か判定する。Ｓ１０５の判定がＮであれば、つまり、番組開始時刻Ｔｓと電源オン時刻との差が小さく、クイック起動モードでの消費電力が大きくならないと見なせる場合には、Ｓ１０６で、番組開始時刻Ｔｓを予測起動時刻Ｔｑとして予測電源オン時刻に対応させて予測テーブルに設定し、処理を終了する。
【００６３】
Ｓ１０５の判定がＹであれば、つまり、番組開始時刻Ｔｓと電源オン時刻との差が大きく、クイック起動モードでの消費電力が大きくなると見なせる場合には、Ｓ１１３に進み、（Ｔｏｎ−１０分）を演算し、その分桁より前の００，１５，３０，４５を分桁として（すなわち、上限を設定して）予測起動時刻Ｔｑとし、予測テーブルに設定し処理を終了する。
【００６４】
以上述べたように、本実施形態は、番組開始時刻を用いて予測起動時刻を算出している点で、従来技術と異なる。
【００６５】
次に、スタンバイモード下におけるクイック起動モードへの移行処理（以下、「予測起動処理」という）について説明する。
【００６６】
図５は、予測起動処理の制御フローを模式的に示す図である。
【００６７】
サブＣＰＵ６１０は、予測起動時刻算出処理で次の予測電源オン時刻に関する予測テーブルを算出すると、スタンバイモード下において、予測起動処理を開始する。
【００６８】
サブＣＰＵ６１０は、先ず、Ｓ２０１で現在時刻Ｔｐが予測起動時刻Ｔｑと一致するか判定する。一致したら、Ｓ２０２に進み、光センサ６７０の出力を検出し、その出力が電源操作視聴履歴テーブルの予測起動時刻に対応付けられた明るさ（フラグ）レベルと同じか判定する。例えば、１週間前の電源オン時刻における部屋の明るさが「明」で、現在時刻の明るさが「暗」であれば、ユーザが不在と見なし得る。従って、Ｎであればユーザが不在と見なし、Ｓ２２１で次の予測起動時刻の算出処理を実行し、処理を終了する。一致しない場合、一旦、予測起動時刻Ｔｑでクイック起動モードに移行しても、ユーザ不在で電源オン操作が見込める可能性が低く、クイック起動モードリセット判定時刻を過ぎて再びスタンバイモードに戻す事になり、無駄に電力を消費することになる。そこで、本実施形態では、部屋の明るさでユーザが居るか否かを判別し、無駄な消費電力を低減するようにしている。
【００６９】
Ｓ２０２で同じであれば、Ｓ２０３で再生フラグが立っているかチェックする。サブＣＰＵ６１０は、Ｎであれば、Ｓ２０４でＡＶ処理部２００のみクイック起動モードに移行させ、Ｙであれば、Ｓ２１１でＡＶ処理部２００および録画再生部４００をクイック起動モードに移行させ、処理を終了する。
【００７０】
このように、本実施形態では、ユーザの日常生活スタイルにおけるユーザの視聴傾向を反映し、タイマー録画した録画番組の再生が予測される場合には、電源オン後直ちに、録画再生部（ここではＨＤＤ）が再生できるようにしている。
【００７１】
勿論、クイック起動モードに移行する際、常に、ＡＶ処理部２００と録画再生部４００の両方に電源を供給するようにしてもよい。しかしながら、電源オン後、テレビジョン放送を楽しむ場合、録画再生部４００をクイック起動モードにしておくと、余分に電力を消費することになる。そこで、本実施形態では、ユーザの視聴傾向に基づいて、クイック起動モードに移行させる要素を個別に制御するようにしている。
【００７２】
次に、クイック起動モード下における電源オン処理について説明する。図６は、電源オン処理の制御フローを模式的に示す図である。
【００７３】
図６において、電源オン処理を開始すると、サブＣＰＵ６１０は、先ず、Ｓ３０１で電源オンされたか判定する。Ｓ３０１の判定がＮであれば、Ｓ３１１に進み、クイック起動モードリセット判定時刻（予測電源オン時刻に所定時間例えば１５分を加えた時刻）を経過したかチェックする。Ｓ３１１の判定がＮであればＳ３０１に戻り、電源オン操作を待つ。Ｓ３１１の判定がＹであれば、クイック起動モードでの待機時間が長くなり、消費電力が増大するので、Ｓ３１２でスタンバイモードとし、Ｓ３１３で次の予測起動時刻の算出処理を実行し、処理を終了する。
【００７４】
サブＣＰＵ６１０は、Ｓ３０１の判定がＹであれば、Ｓ３０２で、電源ユニット７００を制御して、全ての要素に対して電源を供給させる。そして、Ｓ３０３で、予測視聴チャンネルを設定し、デジタルチューナ１００に当該予測視聴チャンネルを選局するようにデジタルチューナ１００が制御され、電源ＯＮ直後に予測視聴チャンネルの番組の視聴を可能とする。よって、前述したラストチャンネルが例えば１０１ｃｈであった場合でも、予測視聴チャンネルが例えば２０２ｃｈの場合は、クイック起動モードで電源ＯＮされると、デジタルチューナ１００はラストチャンネルである１０１ｃｈを選局せずに予測視聴チャンネルである２０２ｃｈを選局する。この場合、ＡＶ処理部２００には電源ＱＰ２００が供給されている（再生の場合、録画再生部４００にも電源ＱＰ４００が供給されている）ので、放送受信装置は素早く起動し、素早い所望チャンネルの視聴あるいは再生が可能となる。そして、処理を終了する。
【００７５】
以上述べたように、本実施形態による放送受信装置は、電源オン時刻，電源オフ時刻と共に、電源オン時刻に対応付けして、その時のチャンネル番組情報（すなわち、視聴チャンネルおよび該視聴チャンネルでサービスされた番組に関する番組開始時刻を含む番組情報）を電源操作視聴履歴に記憶させる。従って、電源オン時刻ではなく、番組開始時刻を用いて次回の予測起動時刻を予測し、該予測起動時刻にクイック起動モードに移行することができる。そして、その後の電源投入時、前記予測起動時刻に対応付けられたチャンネルの番組を短時間で受信することができる。これに伴い、電源オン時、従来必要であったチャンネル切り替えが不要となる可能性が高くなる。また、番組の開始時刻にクイックモードに移行するので、ユーザの電源オン操作のタイミングによっては番組の冒頭から視聴が可能となる。このように、本実施形態によれば、ユーザの視聴傾向を反映させながら、使いやすさと低消費電力化を実現することができる。
【００７６】
ここで、本発明に至った経緯について少し述べておく。
【００７７】
過去の電源オン時刻，電源オフ時刻を記憶した電源操作履歴を用いて次回の予測起動時刻を予測する例えば特許文献１の従来技術では、まず、現在時刻より２４時間遡り、この遡った時刻から最も近い未来の電源オン時刻を電源操作履歴から求める。次に、求めた時刻から２４時間進めた時刻を予測予測起動時刻とする。そして、予測起動時刻に至るとクイック起動モードに移行する。このため、ユーザの電源オン操作が予測起動時刻より少しでも（例えば１分）早くなると、クイック起動ができないことになる。勿論、特開平７−２１２６７８号公報のように、電源操作履歴の電源オン時刻，電源オフ時刻の蓄積期間を１週間とすれば、予測起動時刻の信頼度が向上するが、まだ十分とはいえない。
【００７８】
ところで、一般に、テレビジョン放送受信装置を電源オンするのは、所望番組を視聴するための場合が多いと考えられる。
【００７９】
この点に着眼し、本実施形態では、ユーザの視聴傾向を反映させ、番組開始時刻を予測起動時刻とし、予測起動時刻の信頼度を向上させるようにした。
【００８０】
なお、以上述べた本実施形態では、ユーザが居るか否かを光センサ６７０で検出するようにしたが、本発明はこれに限定されるものではない。例えば、赤外線センサを用いてもよい。
【００８１】
また、上記した実施形態では、光センサ６７０の出力が所定閾値以上の場合、「明」としてユーザが居るものとしたが、これに限定されるものではない。場合によっては、部屋を暗くして視聴する可能性もある。そのような傾向は、週単位で視聴傾向を把握（学習）でき、これを学習して判断するようにしてもよいことは言うまでもない。
【００８２】
また、電源操作視聴履歴テーブル，予測テーブルをサブＣＰＵ部６００の不揮発性メモリ６４０に格納するようにしたが、本発明はこれに限定されるものではない。例えば、ＡＶ処理部２００の不揮発性メモリ２４０に格納するようにしてもよい。この場合、メインＣＰＵ２１０が、上記した電源操作視聴履歴作成処理，予測起動時刻算出処理，予測起動処理および電源オン処理を行うことになる。サブＣＰＵ６１０は、特許文献１のように、メインＣＰＵ２１０からの指示に基づき、次のＡＶ処理部の起動を制御することになる。
【００８３】
また、本実施形態では、電源操作視聴履歴テーブルにおけるデータ蓄積期間を１週間としたが、これに限定されるものではない。週を単位として、データ蓄積期間を例えば２週間、３週間、４週間としてもよい。４週間とした場合においては、予測電源オン時刻，予測起動時刻，予測チャンネルなどを算出する場合、単純に平均化しても良く、或は、現在時刻に近い週のウエイトを大きくして荷重平均を行い、算出するようにしてもよい。
【００８４】
また、データ蓄積期間を２週間以上とした場合、電源オン後直ちに録画番組の再生が実行される否かの予測精度が向上するので、本実施形態にとっては、データ蓄積期間を２週間以上とするのが好ましい。
【図面の簡単な説明】
【００８５】
【図１】本実施形態に係わる放送受信装置の模式ブロック構成。図
【図２】本実施形態による電源操作視聴履歴テーブルの一例を示す図。
【図３】本実施形態による電源操作視聴履歴作成処理を模式的に示した制御フロー図。
【図４】本実施形態による予測起動時刻算出処理フローを模式的に示す図。
【図５】本実施形態による予測起動処理フローを模式的に示す図。
【図６】本実施形態による電源オン処理フローを模式的に示す図。
【符号の説明】
【００８６】
１０…アンテナ、５０…リモコン、１００…デジタルチューナ、２００…ＡＶ処理部、２０１…デマルチプレクサ、２０２…ＭＰＥＧデコーダ、２０３…フォーマットコンバータ、２１０…メインＣＰＵ、２１１…時計部、２２０…フラッシュメモリ、２３０…メモリ、２４０…不揮発性メモリ、２５０…バス、３００…表示部、４００…録画再生部、４０１…ＨＤＤコントローラ、４０１…ＨＤＤ、６００…サブＣＰＵ部、６１０…サブＣＰＵ、６１１…時計部、６４０…不揮発性メモリ、６５０…受光部、６６０…キー入力部、６７０…光センサ、７００…電源ユニット
【図１】
2009088737.tif 000003
【図２】
2009088737.tif 000004
【図３】
2009088737.tif 000005
【図４】
2009088737.tif 000006
【図５】
2009088737.tif 000007
【図６】
2009088737.tif 000008